(57)【要約】【課題】  作業者が取付部位の一方の側から取付作業を行うことにより、タグを商品に取付けれるようにする。【解決手段】  タグ１２をアワビに取付ける場合に、タグ取付具１を用いて、第１の爪部９を一方の吸水孔２０の縁部２０ａに係止させると共に第２の爪部１０を他方の吸水孔２１の縁部２１ａに係止させ、タグ取付具１を殻１９に取付ける。作業者は、殻１９の外側から取付作業を行い、最初にタグ取付具１を殻１９に取付け、続いてタグ１２をタグ取付具１に取付けることにより、アワビの身に損傷を与えることなく、タグ１２をアワビに取付けることができる。【選択図】  図１
2005157470.tif 000002
【特許請求の範囲】
【請求項１】
データを記録可能であると共に当該記録されているデータが電磁的または光学的に読取られるように構成されたタグを、少なくとも２つの孔が本体に形成されている商品に取付ける方法であって、
タグを取付可能にまたはタグと一体に構成されると共に第１の係止部材と第２の係止部材とを備えたタグ取付具を用いて、前記第１の係止部材を一方の孔の縁部に係止させると共に前記第２の係止部材を他方の孔の縁部に係止させ、前記タグ取付具を本体に取付けることを特徴とするタグ取付方法。
【請求項２】
請求項１に記載したタグ取付方法において、
前記第１の係止部材を一方の孔にあって前記第２の係止部材側の縁部に係止させると共に前記第２の係止部材を他方の孔にあって前記第１の係止部材側の縁部に係止させ、前記タグ取付具を本体に取付けることを特徴とするタグ取付方法。
【請求項３】
請求項１に記載したタグ取付方法において、
前記第１の係止部材を一方の孔にあって前記第２の係止部材側とは反対側の縁部に係止させると共に前記第２の係止部材を他方の孔にあって前記第１の係止部材側とは反対側の縁部に係止させ、前記タグ取付具を本体に取付けることを特徴とするタグ取付方法。
【請求項４】
請求項１ないし３のいずれかに記載したタグ取付方法において、
外力に抗する収縮力または伸張力を発生する弾性機構を備えたタグ取付具を用いて、外力を前記弾性機構に与えながら前記第１の係止部材を一方の孔に挿入させると共に前記第２の係止部材を他方の孔に挿入させ、その与えている外力を放して前記第１の係止部材を一方の孔の縁部に係止させると共に前記第２の係止部材を他方の孔の縁部に係止させ、前記第１の係止部材と前記第２の係止部材とを係止状態に固定させることを特徴とするタグ取付方法。
【請求項５】
請求項１ないし４のいずれかに記載したタグ取付方法において、
前記第１の係止部材および前記第２の係止部材のうち少なくとも一方に対して一方向への移動を許可すると共に他方向への移動を禁止する戻り止め機構を備えたタグ取付具を用いて、前記第１の係止部材を一方の孔に挿入させると共に前記第２の係止部材を他方の孔に挿入させ、前記第１の係止部材および前記第２の係止部材のうち少なくとも一方を移動させて前記第１の係止部材を一方の孔の縁部に係止させると共に前記第２の係止部材を他方の孔の縁部に係止させ、前記第１の係止部材と前記第２の係止部材とを係止状態に固定させることを特徴とするタグ取付方法。
【請求項６】
請求項１ないし５のいずれかに記載したタグ取付方法において、
嵌合部を備えたタグ取付具を用いて、前記タグ取付具を本体に取付けた後に、タグの突起部を前記嵌合部に嵌合させてタグを前記タグ取付具に取付けることを特徴とするタグ取付方法。
【請求項７】
請求項１ないし６のいずれかに記載したタグ取付方法において、
前記タグ取付具を本体に取付けた後に、タグの平面部を商品の面に沿うようにしてタグを前記タグ取付具に取付けることを特徴とするタグ取付方法。
【請求項８】
データを記録可能であると共に当該記録されているデータが電磁的または光学的に読取られるように構成されたタグを、少なくとも１つの孔が本体に形成されている商品に取付ける方法であって、
タグを取付可能にまたはタグと一体に構成されると共に第１の係止部材と第２の係止部材とを備えたタグ取付具を用いて、前記第１の係止部材および前記第２の係止部材のうち一方を孔の縁部に係止させると共に他方を本体の端部に係止させ、前記タグ取付具を本体に取付けることを特徴とするタグ取付方法。
【請求項９】
請求項８に記載したタグ取付方法において、
外力に抗する収縮力または伸張力を発生する弾性機構を備えたタグ取付具を用いて、外力を前記弾性機構に与えながら前記第１の係止部材および前記第２の係止部材のうち一方を孔に挿入させると共に他方を本体の端部に引掛け、その与えている外力を放して前記第１の係止部材および前記第２の係止部材のうち一方を孔の縁部に係止させると共に他方を本体の端部に係止させ、前記第１の係止部材と前記第２の係止部材とを係止状態に固定させることを特徴とするタグ取付方法。
【請求項１０】
請求項８または９に記載したタグ取付方法において、
前記第１の係止部材および前記第２の係止部材のうち少なくとも一方に対して一方向への移動を許可すると共に他方向への移動を禁止する戻り止め機構を備えたタグ取付具を用いて、前記第１の係止部材および前記第２係止部材のうち一方を孔に挿入させると共に他方を本体の端部に引掛け、前記第１の係止部材および前記第２の係止部材のうち少なくとも一方を移動させて前記第１の係止部材および前記第２の係止部材のうち一方を孔の縁部に係止させると共に他方を本体の端部に係止させ、前記第１の係止部材と前記第２の係止部材とを係止状態に固定させることを特徴とするタグ取付方法。
【請求項１１】
請求項８ないし１０のいずれかに記載したタグ取付方法において、
嵌合部を備えたタグ取付具を用いて、前記タグ取付具を本体に取付けた後に、タグの突起部を前記嵌合部に嵌合させてタグを前記タグ取付具に取付けることを特徴とするタグ取付方法。
【請求項１２】
請求項８ないし１１のいずれかに記載したタグ取付方法において、
前記タグ取付具を本体に取付けた後に、タグの平面部を商品の面に沿うようにしてタグを前記タグ取付具に取付けることを特徴とするタグ取付方法。
【請求項１３】
データを記録可能であると共に当該記録されているデータが電磁的または光学的に読取られるように構成されたタグを取付可能なタグ取付部材と、
商品の本体に形成されている孔の縁部または当該本体の端部に係止可能な第１の係止部材と、
商品の本体に形成されている孔の縁部または当該本体の端部に係止可能な第２の係止部材と、
外力が与えられると、外力に抗する収縮力または伸張力を発生する弾性機構とを備え、
前記第１の係止部材が孔の縁部または本体の端部に係止されると共に前記第２の係止部材が孔の縁部または本体の端部に係止されている状態で、前記第１の係止部材と前記第２の係止部材とが前記弾性機構から発生されている収縮力または伸張力により係止状態に固定されることを特徴とするタグ取付具。
【請求項１４】
請求項１３に記載したタグ取付具において、
前記第１の係止部材および前記第２の係止部材のうち少なくとも一方に対して一方向への移動を許可すると共に他方向への移動を禁止する戻り止め機構を備え、
前記第１の係止部材が孔の縁部または本体の端部に係止されると共に前記第２の係止部材が孔の縁部または本体の端部に係止されている状態で、前記第１の係止部材および前記第２の係止部材のうち少なくとも一方の移動が前記戻り止め機構により禁止されることを特徴とするタグ取付具。
【請求項１５】
データを記録可能であると共に当該記録されているデータが電磁的または光学的に読取られるように構成されたタグを取付可能なタグ取付部材と、
商品の本体に形成されている孔の縁部または当該本体の端部に係止可能な第１の係止部材と、
商品の本体に形成されている孔の縁部または当該本体の端部に係止可能な第２の係止部材と、
前記第１の係止部材および前記第２の係止部材のうち少なくとも一方に対して一方向への移動を許可すると共に他方向への移動を禁止する戻り止め機構とを備え、
前記第１の係止部材が孔の縁部または本体の端部に係止されると共に前記第２の係止部材が孔の縁部または本体の端部に係止されている状態で、前記第１の係止部材および前記第２の係止部材のうち少なくとも一方の移動が前記戻り止め機構により禁止されることを特徴とするタグ取付具。
【発明の詳細な説明】
【技術分野】
【０００１】
本発明は、データを記録可能であると共に当該記録されているデータが電磁的または光学的に読取られるように構成されたタグを商品に取付ける方法および当該タグを商品に取付ける場合に用いられるタグ取付具に関する。
【背景技術】
【０００２】
ＲＦＩＤタグや二次元コードタグの利用形態の一つとして、タグを例えば肉牛などの家畜に取付けることにより、家畜の生産地や生産者などを管理するものがある。この場合、タグを家畜に取付ける方法として、タグが内蔵されたプレートを例えば耳の表側に配置し、ピンを耳の裏側から耳介を貫通するようにして差込み、ピンの先端部をプレートの通孔に装着することにより、タグを家畜に取付ける方法がある（特許文献１参照）。
【特許文献１】特開２００３−７０３７２号公報
【発明の開示】
【発明が解決しようとする課題】
【０００３】
しかしながら、タグを取付ける商品（タグ取付対象物）が例えば海産物の一つであるアワビである場合を想定すると、アワビの構造上、殻に吸水孔が形成されているものの、殻の内側に付着している身を損傷させないようにするために、作業者は、殻の外側からしか取付作業を行うことができない。つまり、タグをアワビに取付ける場合には、作業者は、取付部位である吸水孔の外側からしか取付作業を行うことができず、上記した特許文献１に記載されている方法を適用することができない。
【０００４】
本発明は、上記した事情に鑑みてなされたものであり、その目的は、作業者が取付部位の一方の側から取付作業を行うことにより、タグを商品に取付けることができるタグ取付方法およびタグ取付具を提供することにある。
【課題を解決するための手段】
【０００５】
請求項１に記載した取付方法によれば、データを記録可能であると共に当該記録されているデータが電磁的または光学的に読取られるように構成されたタグを商品に取付ける場合に、タグを取付可能にまたはタグと一体に構成されると共に第１の係止部材と第２の係止部材とを備えたタグ取付具を用いて、第１の係止部材を商品の本体に形成されている一方の孔の縁部に係止させると共に第２の係止部材を商品の本体に形成されている他方の孔の縁部に係止させ、タグ取付具を本体に取付ける手順を行う。
【０００６】
これにより、作業者は、取付部位の一方の側から取付作業を行い、例えば最初にタグ取付具を商品の本体に取付け、続いてタグをタグ取付具に取付けることにより、タグを商品に取付けることができる。つまり、商品がアワビである場合には、作業者は、殻の外側から取付作業を行うことにより、アワビの殻の内側に付着している身に損傷を与えることなく、タグをアワビに取付けることができる。
【０００７】
尚、ここでは、最初にタグ取付具を商品の本体に取付け、続いてタグをタグ取付具に取付けることに限らず、最初にタグをタグ取付具に取付け、続いてタグが取付けられたタグ取付具を商品の本体に取付けることにより、タグを商品に取付けても良い。さらに、タグがタグ取付具と一体に形成されているものであっても良い。また、ここでいう電磁的に読取られるとは、タグがＲＦＩＤタグである場合にＲＦＩＤタグからデータが電磁界または電磁波を用いて非接触通信で読取られて復調されることをいうものであり、また、光学的に読取られるとは、タグが例えば１次元コードタグまたは２次元コードタグである場合に１次元コードタグまたは２次元コードタグからコード情報が光学的画像としてコードリーダにより読取られてデコード化されることをいうものである。
【０００８】
請求項２に記載した取付方法によれば、第１の係止部材を一方の孔にあって第２の係止部材側の縁部に係止させると共に第２の係止部材を他方の孔にあって第１の係止部材側の縁部に係止させ、タグ取付具を本体に取付ける手順を行うので、作業者は、一方の孔と他方の孔との間隔が異なる場合であっても、多種類のタグ取付具を必要とすることなく、タグを商品に取付けることができる。
【０００９】
請求項３に記載したタグ取付方法によれば、第１の係止部材を一方の孔にあって第２の係止部材側とは反対側の縁部に係止させると共に第２の係止部材を他方の孔にあって第１の係止部材側とは反対側の縁部に係止させ、タグ取付具を本体に取付ける手順を行うので、作業者は、第１の係止部材から一方の孔への応力が作用する箇所と第２の係止部材から他方の孔への応力が作用する箇所とを分散させることができ、タグ取付具から本体に作用する応力が一箇所に集中することを回避させた状態で、タグを商品に取付けることができる。
【００１０】
請求項４に記載したタグ取付方法によれば、外力に抗する収縮力または伸張力を発生する弾性機構を備えたタグ取付具を用いて、外力を弾性機構に与えながら第１の係止部材を一方の孔に挿入させると共に第２の係止部材を他方の孔に挿入させ、その与えている外力を放して第１の係止部材を一方の孔の縁部に係止させると共に第２の係止部材を他方の孔の縁部に係止させ、第１の係止部材と第２の係止部材とを係止状態に固定させる手順を行う。これにより、作業者は、タグ取付具から弾性機構による収縮力または伸張力が本体に作用されることにより、タグ取付具を商品に確実に取付けることができ、タグ取付具が商品から外れてしまうことを回避することができる。
【００１１】
請求項５に記載したタグ取付方法によれば、第１の係止部材および第２の係止部材のうち少なくとも一方に対して一方向への移動を許可すると共に他方向への移動を禁止する戻り止め機構を備えたタグ取付具を用いて、第１の係止部材を一方の孔に挿入させると共に第２の係止部材を他方の孔に挿入させ、第１の係止部材および第２の係止部材のうち少なくとも一方を移動させて第１の係止部材を一方の孔の縁部に係止させると共に第２の係止部材を他方の孔の縁部に係止させ、第１の係止部材と第２の係止部材とを係止状態に固定させる手順を行う。これにより、作業者は、第１の係止部材および第２の係止部材のうち少なくとも一方の移動が禁止されることにより、上記した請求項４に記載したものと同様にして、タグ取付具を商品に確実に取付けることができ、タグ取付具が商品から外れてしまうことを回避することができる。
【００１２】
請求項６に記載したタグ取付方法によれば、嵌合部を備えたタグ取付具を用いて、タグ取付具を本体に取付けた後に、タグの突起部を嵌合部に嵌合させてタグをタグ取付具に取付ける手順を行うので、作業者は、タグの突起部を嵌合部に嵌合することにより、タグをタグ取付具に容易に取付けることができる。
【００１３】
請求項７に記載したタグ取付方法によれば、タグ取付具を本体に取付けた後に、タグの平面部を商品の面に沿うようにしてタグをタグ取付具に取付ける手順を行うので、作業者は、タグを安定させた状態で商品に取付けることができると共に、タグが取付けられた後の商品の全体のサイズが大型化してしまうことを回避することができる。
【００１４】
請求項８に記載したタグ取付方法によれば、データを記録可能であると共に当該記録されているデータが電磁的または光学的に読取られるように構成されたタグを商品に取付ける場合に、タグを取付可能にまたはタグと一体に構成されると共に第１の係止部材と第２の係止部材とを備えたタグ取付具を用いて、第１の係止部材および第２の係止部材のうち一方を孔の縁部に係止させると共に他方を本体の端部に係止させ、タグ取付具を本体に取付ける手順を行う。
【００１５】
これにより、作業者は、上記した請求項１に記載したものと同様にして、取付部位の一方の側から取付作業を行い、例えば最初にタグ取付具を商品の本体に取付けた後に、続いてタグをタグ取付具に取付けることにより、タグを商品に取付けることができる。つまり、商品がアワビである場合には、作業者は、殻の外側から取付作業を行うことにより、アワビの身に損傷を与えることなく、タグをアワビに取付けることができる。しかも、この場合は、１つの孔しか用いないので、アワビの身にストレスを与えてしまうことをより確実に回避することができ、仮にアワビの身にストレスが与えられたとしても、その程度（被害）を最小限に抑えることができる。
【００１６】
請求項９に記載したタグ取付方法によれば、外力に抗する収縮力または伸張力を発生する弾性機構を備えたタグ取付具を用いて、外力を弾性機構に与えながら第１の係止部材および第２の係止部材のうち一方を孔に挿入させると共に他方を本体の端部に引掛け、その与えている外力を放して第１の係止部材および第２の係止部材のうち一方を孔の縁部に係止させると共に他方を本体の端部に係止させ、第１の係止部材と第２の係止部材とを係止状態に固定させる手順を行う。これにより、作業者は、上記した請求項４に記載したものと同様にして、タグ取付具から弾性機構による収縮力または伸張力が本体に作用されることにより、タグ取付具を商品に確実に取付けることができ、タグ取付具が商品から外れてしまうことを回避することができる。
【００１７】
請求項１０に記載したタグ取付方法によれば、第１の係止部材および第２の係止部材のうち少なくとも一方に対して一方向への移動を許可すると共に他方向への移動を禁止する戻り止め機構を備えたタグ取付具を用いて、第１の係止部材および第２係止部材のうち一方を孔に挿入させると共に他方を本体の端部に引掛け、第１の係止部材および第２の係止部材のうち少なくとも一方を移動させて第１の係止部材および第２の係止部材のうち一方を孔の縁部に係止させると共に他方を本体の端部に係止させ、第１の係止部材と第２の係止部材とを係止状態に固定させる手順を行う。これにより、作業者は、上記した請求項５に記載したものと同様にして、第１の係止部材および第２の係止部材のうち少なくとも一方の移動が禁止されることにより、タグ取付具を商品に確実に取付けることができ、タグ取付具が商品から外れてしまうことを回避することができる。
【００１８】
請求項１１に記載したタグ取付方法によれば、嵌合部を備えたタグ取付具を用いて、タグ取付具を本体に取付けた後に、タグの突起部を嵌合部に嵌合させてタグをタグ取付具に取付ける手順を行うので、作業者は、上記した請求項６に記載したものと同様にして、タグの突起部を嵌合部に嵌合することにより、タグをタグ取付具に容易に取付けることができる。
【００１９】
請求項１２に記載したタグ取付方法によれば、タグ取付具を本体に取付けた後に、タグの平面部を商品の面に沿うようにしてタグをタグ取付具に取付ける手順を行うので、作業者は、上記した請求項７に記載したものと同様にして、タグを安定させた状態で商品に取付けることができると共に、タグが取付けられた後の商品の全体のサイズが大型化してしまうことを回避することができる。
【発明を実施するための最良の形態】
【００２０】
（第１の実施形態）
以下、本発明の第１の実施形態として、タグを取付ける商品としてアワビを適用し、タグをアワビに取付ける方法について、図１ないし図５を参照して説明する。まず、図２は、タグ取付具の外観斜視図を示している。タグ取付具１は、作業者が例えば左手の親指と人差指とで適切に把持可能なサイズの第１の把持部材２と、作業者が例えば右手の親指と人差指とで適切に把持可能なサイズの第２の把持部材３と、第１の把持部材２から下方に延設されている第１の係止部材４と、第２の把持部材３から下方に延設されている第２の係止部材５と、タグ取付部材６と、第１の把持部材２とタグ取付部材６とを連結する第１の連結部材７と、第２の把持部材３とタグ取付部材６とを連結する第２の連結部材８とが組合されて構成されている。
【００２１】
第１の係止部材４は、その一端側（下側）に先細な先端部９ａが第２の係止部材５を向くように（内側を向くように）第１の爪部９が形成されて構成されており、第２の係止部材５は、その一端側に先細な先端部１０ａが第１の係止部材４を向くように（内側を向くように）第２の爪部１０が形成されて構成されている。第１の連結部材７と第２の連結部材８とは、タグ取付部材６の内部で例えばコイルバネからなるバネ機構１１（本発明でいう弾性機構）を介して連結されている。
【００２２】
この場合、タグ取付具１は、全ての部材２〜８に外力が与えられていない自由状態（図２（ａ）に示す状態）では、第１の爪部９と第２の爪部１０との間隔が所定間隔で保持されるようになっており、その自由状態から外力が例えば第１の把持部材２と第２の把持部材３とに双方に与えられ、第１の爪部９と第２の爪部１０との間隔が広げられると（図２中矢印「Ａ１」，「Ａ２」参照）、バネ機構１１が外力に抗する収縮力を発生するようになっており（図２中矢印「Ａ３」，「Ａ４」参照）、その与えられている外力が放たれると、バネ機構１１から発生されている収縮力が作用して自由状態に復帰するようになっている。
【００２３】
タグ１２は、平板状のタグ本体部１３と、タグ本体部１３の裏面部１３ａの略中央付近に設けられたスリ割り付き突起部１４（本発明でいう突起部）とから構成されており、そのスリ割り付き突起部１４がタグ取付部材６に形成されている嵌合部１５に嵌合されることにより、タグ１２がタグ取付具１に取付けられるように構成されている。
【００２４】
この場合、タグ１２は、図３（ａ）に示すように、タグ本体部１３にＩＣチップ１６やアンテナコイル１７が内蔵されているＲＦＩＤタグから構成されるものであっても良いし、図３（ｂ）に示すように、タグ本体部１３の表面部１３ｂに２次元コード１８が印刷または添付されている２次元コードタグから構成されるものであっても良い。また、アワビの生産地や生産者や水揚日などを示す情報が文字や数字などにより記載、印刷または添付されていても良い。
【００２５】
次に、上記した構成の作用として、上記したタグ取付具１を用いてタグ１２をアワビに取付ける手順について、図１を参照して説明する。この場合、アワビの殻１９（本発明でいう本体）には、自然的に少なくとも２つの吸水孔２０，２１（本発明でいう孔）が形成されていることを前提として説明する。
【００２６】
最初に、作業者は、例えば左手の親指と人差指とで第１の把持部材２を把持すると共に右手の親指と人差指とで第２の把持部材３を把持し、外力を第１の把持部材２と第２の把持部材３との双方に与えて第１の爪部９が一方の吸水孔２０に挿入可能になると共に第２の爪部１０が他方の吸水孔２１に挿入可能になるまで第１の爪部９と第２の爪部１０との間隔を広げる（図１（ａ）参照）。
【００２７】
次いで、作業者は、第１の爪部９を一方の吸水孔２０に挿入させると共に第２の爪部１０を他方の吸水孔２１に挿入させ（図１（ｂ）参照）、外力を放す。このとき、外力が放たれたことにより、バネ機構１１から発生されている収縮力が第１の連結部材７および第１の把持部材２を介して第１の爪部９に伝達されて作用すると共に第２の連結部材８および第２の把持部材３を介して第２の爪部１０に伝達されて作用する。その結果、第１の爪部９が一方の吸水孔２０にあって他方の吸水孔２１側の（内側の）縁部２０ａに当接されて係止されると共に第２の爪部１０が他方の吸水孔２１にあって一方の吸水孔２０側の（内側の）縁部２１ａに当接されて係止され、第１の爪部９と第２の爪部１０とが係止状態に固定される（図１（ｃ）参照）。
【００２８】
そして、作業者は、タグ１２のスリ割り付き突起部１４をタグ取付部材６の嵌合部１５に対して位置決めし（図１（ｄ）参照）、スリ割り付き突起部１４を嵌合部１５に嵌合し、タグ１２をタグ取付具１に取付ける（図１（ｅ）参照）。これにより、作業者は、以上に説明した一連の手順を行うことにより、殻１９の外側から取付作業を行い、最初にタグ取付具１を殻１９に取付け、続いてタグ１２をタグ取付具１に取付けることにより、図４（ａ）に示すように、タグ１２をタグ取付具１を介してアワビに取付けることができる。
【００２９】
ところで、以上は、第１の爪部９を一方の吸水孔２０に挿入させて係止させると共に第２の爪部１０を他方の吸水孔２１に挿入させて係止させることにより、２つの吸水孔２０，２１を利用し、タグ１２をアワビに取付ける場合を説明したものであるが、図４（ｂ）に示すように、第１の爪部９を殻１９の端部１９ａに引掛けて係止させると共に、第２の爪部１０を吸水孔２２に挿入させて係止させることにより、殻１９の端部１９ａと１つの吸水孔２２とを利用し、タグ１２をアワビに取付けることもできる。
【００３０】
また、以上は、第１の爪部９が第２の係止部材５を向くように形成されていると共に第２の爪部１０が第１の係止部材４を向くように形成されているタグ取付具１を用いることにより、タグ取付具１の内側に作用する収縮力を利用し、タグ１２をアワビに固定させる場合を説明したものであるが、タグ取付具の外側に作用する伸張力を利用し、タグ１２をアワビに固定させることもできる。すなわち、図５に示すように、タグ取付具３１は、第１の爪部３２が第２の係止部材３３とは反対側を向くように（外側を向くように）形成されていると共に第２の爪部３４が第１の係止部材３５とは反対側を向くように（外側を向くように）形成されており、先に説明したバネ機構１１とは巻回方向が反対のコイルバネからなるバネ機構３６がタグ取付部材６に設けられて構成されている。
【００３１】
つまり、この場合、タグ取付具３１は、自由状態（図５（ａ）に示す状態）から外力が第１の把持部材２と第２の把持部材３とに双方に与えられ、第１の爪部３２と第２の爪部３４との間隔が狭められると（図５中矢印「Ｂ１」，「Ｂ２」参照）、タグ取付部材６のバネ機構３６が外力に抗する伸張力を発生するようになっており（図５中矢印「Ｂ３」，「Ｂ４」参照）、その与えられている外力が放たれると、バネ機構３６から発生されている伸張力が作用して自由状態に復帰するようになっている。
【００３２】
また、以上は、最初にタグ取付具１を殻１９に取付け、続いてタグ１２をタグ取付具１に取付けることにより、タグ１２をタグ取付具１を介してアワビに取付ける手順を説明したものであるが、タグ１２がタグ取付具１に取付けられている状態での作業性に不具合がなければ（例えば作業者にとって死角が発生しないなど）、最初にタグ１２をタグ取付具１に取付け、続いてタグ１２が取付けられたタグ取付具１を殻１９に取付けることにより、タグ１２をタグ取付具１を介してアワビに取付ける手順を行っても良い。
【００３３】
以上に説明したように第１の実施形態によれば、タグ取付具１を用いて、第１の爪部９を一方の吸水孔２０の縁部２０ａに係止させると共に第２の爪部１０を他方の吸水孔２１の縁部２１ａに係止させ、タグ取付具１を殻１９に取付けるようにしたので、作業者は、殻１９の外側から取付作業を行い、例えば最初にタグ取付具１を殻１９に取付け、続いてタグ１２をタグ取付具１に取付けることにより、アワビの身に損傷を与えることなく、タグ１２をアワビに取付けることができる。
【００３４】
また、バネ機構１１の収縮力が作用するタグ取付具１を用いて、第１の爪部９を一方の吸水孔２０の縁部２０ａに係止させると共に第２の爪部１０を他方の吸水孔２１の縁部２１ａに係止させてタグ取付具１をアワビに取付けるようにしたので、作業者は、タグ取付具１から発生される収縮力が作用されることにより、タグ取付具１をアワビに確実に取付けることができ、タグ取付具１がアワビから外れてしまうことを回避することができる。
【００３５】
また、バネ機構１１の収縮力が作用するタグ取付具１を用いて、第１の爪部９を一方の吸水孔２０にあって他方の吸水孔２１側の（内側の）縁部２０ａに係止させると共に第２の爪部１０を他方の吸水孔２１にあって一方の吸水孔２０側の（内側の）縁部２１ａに係止させてタグ取付具１をアワビに取付けるようにしたので、作業者は、一方の吸水孔２０と他方の吸水孔２１との間隔が異なる場合であっても、多種類のタグ取付具を必要とすることなく、タグ１２をアワビに取付けることができる。
【００３６】
さらに、バネ機構３６の伸張力が作用するタグ取付具３１を用いて、第１の爪部９を一方の吸水孔２０にあって他方の吸水孔２１側とは反対側の（外側の）縁部に係止させると共に第２の爪部１０を他方の吸水孔２１にあって一方の吸水孔２０側とは反対側の（外側の）縁部に係止させてタグ取付具３１をアワビに取付けるようにすれば、作業者は、第１の爪部９から一方の吸水孔２０への応力が作用する箇所と第２の爪部１０から他方の吸水孔２１への応力が作用する箇所とを分散させることができ、タグ取付具３１から殻１９に作用する応力が一箇所に集中してしまうことを回避することができる。
【００３７】
（第２の実施形態）
次に、本発明の第２の実施形態について、図６ないし図９を参照して説明する。尚、上記した第１の実施形態と同一部分については説明を省略し、異なる部分について説明する。上記した第１の実施形態は、バネ機構１１が発生する収縮力や伸張力を利用して第１の爪部９，３２と第２の爪部１０，３４とを係止状態に固定させる構成であるが、これに対して、この第２の実施形態は、戻り止め機構を利用して第１の爪部と第２の爪部とを係止状態に固定させるものである。
【００３８】
すなわち、タグ取付具４１は、図７に示すように、第１の把持部材４２と、第２の把持部材４３と、第１の係止部材４４と、第２の係止部材４５と、棒状部材４６とが組合されて構成されている。第１の係止部材４４は、上記した第１の実施形態で説明した第１の係止部材４に相当するもので、その一端側に先細な先端部４７ａを有する第１の爪部４７が形成されて構成されており、第２の係止部材４５は、上記した第１の実施形態で説明した第２の係止部材５に相当するもので、その一端側に先細な先端部４８ａを有する第２の爪部４８が形成されて構成されている。
【００３９】
棒状部材４６は、その一端部４６ａが第１の把持部材４２の端面４２ａに固着され、その上面部４６ｂに鋸歯凹凸状の係合段部４９が形成されていると共に、第２の把持部材４３に形成されている貫通穴部４３ａを貫通している。第２の把持部材４３は、図９（ａ）に示すように、撓動可能な撓動部５０と、棒状部材４６の係合段部４９と係合する係合爪部５１とが設けられて構成されている。この場合、棒状部材４６の係合段部４９と第２の把持部材４３の係合爪部５１とにより、ラチェット機構５２（本発明でいう戻り止め機構）が形成されている。
【００４０】
上記した構成では、第２の把持部材４３に第１の把持部材４２に近付ける方向の外力が与えられると（図７および図９（ａ）中矢印「Ｃ１」参照）、撓動部５０が撓んで係合爪部５１の上下方向への往復移動が許可されることにより（図９（ａ）中矢印「Ｅ１，Ｅ２」参照）、第２の把持部材４３の第１の把持部材４２に近づく方向への移動が許可される。これに対して、第２の把持部材４３に第１の把持部材４２から遠ざかる方向の外力が与えられたとしても（図７および図９（ａ）中矢印「Ｃ２」参照）、係合爪部５１の上下方向への往復移動が禁止されることにより、第２の把持部材４３の第１の把持部材４２から遠ざかる方向への移動が禁止される。また、第１の把持部材４２は、上記した第１の実施形態で説明したタグ取付部材６の嵌合部１５に相当する嵌合部５３が形成されて構成されている。
【００４１】
次に、上記した構成の作用として、上記したタグ取付具４１を用いてタグをアワビに取付ける手順について、図６を参照して説明する。尚、この第２の実施形態で用いられるタグ５４は、上記した第１の実施形態で説明したタグ１２とは形状が異なっており、タグ本体部５５の裏面部５５ａの中央から外れた位置にスリ割り付き突起部５６が設けられて構成されている。
【００４２】
この場合は、最初に、作業者は、例えば左手の親指と人差指とで第１の把持部材４２を把持すると共に右手の親指と人差指とで第２の把持部材４３を把持し、第１の爪部４７が一方の吸水孔２０に挿入可能になると共に第２の爪部４８が他方の吸水孔２１に挿入可能になるまで第１の爪部４７と第２の爪部４８との間隔を狭める（図６（ａ）参照）。
【００４３】
次いで、作業者は、第１の爪部４７を一方の吸水孔２０に挿入させると共に第２の爪部４８を他方の吸水孔２１に挿入させる（図６（ｂ）参照）。次いで、作業者は、第１の爪部４７を一方の吸水孔２０の縁部２０ａに当接させて係止させながら第２の把持部材４３を第１の把持部材４２の方向に向けて移動させることにより、第２の爪部４８を他方の吸水孔２１の縁部２１ａに当接させて係止させ、第１の爪部４７と第２の爪部４８とを係止状態に固定させる（図６（ｃ）参照）。
【００４４】
そして、作業者は、５４のスリ割り付き突起部５６を第１の把持部材４２の嵌合部５３に対して位置決めし（図６（ｄ）参照）、スリ割り付き突起部５６を嵌合部５３に嵌合し、タグ５２をタグ取付具４１に取付ける（図６（ｅ）参照）。これにより、作業者は、以上に説明した一連の手順を行うことにより、上記した第１の実施形態に記載したものと同様にして、殻１９の外側から取付作業を行い、最初にタグ取付具４１を殻１９に取付け、続いてタグ５４をタグ取付具４１に取付けることにより、タグ５４をタグ取付具４１を介してアワビに取付けることができる。
【００４５】
尚、この場合も、第１の爪部４７を殻１９の端部１９ａに引掛けて係止させると共に第２の爪部４８を吸水孔２２に挿入させて係止させることにより、殻１９の端部１９ａと１つの吸水孔２２とを利用し、タグ１２をアワビに取付けることもできる。
【００４６】
また、第２の把持部材の移動方向が反対方向に構成されたタグ取付具を用いて、タグ１２をアワビに固定させることもできる。すなわち、図８に示すように、タグ取付具６１は、第１の爪部６２が第２の係止部材６３とは反対側を向くように（外側を向くように）形成されていると共に第２の爪部６４が第１の係止部材６５とは反対側を向くように（外側を向くように）形成されている。この場合は、図９（ｂ）に示すように、棒状部材６６に形成されている鋸歯凹凸状の係合段部６７の向き（傾斜方向）は、先に説明した係合段部４９と反対方向に形成されており、また、第２の把持部材６８に設けられている係合爪部６９の向き（傾斜方向）も、先に説明した係合爪部５１と反対方向に形成されている。
【００４７】
上記した構成では、第２の把持部材６８に第１の把持部材４２から遠ざかる方向の外力が与えられると（図８および図９（ｂ）中矢印「Ｄ１」参照）、撓動部５０が撓んで係合爪部６９の上下方向への往復移動が許可されることにより（図９（ｂ）中矢印「Ｅ１，Ｅ２」参照）、第２の把持部材６８の第１の把持部材４２から遠ざかる方向への移動が許可される。これに対して、第２の把持部材６８に第１の把持部材４２に近づく方向の外力が与えられたとしても（図８および図９（ｂ）中矢印「Ｄ２」参照）、係合爪部６９の上下方向への往復移動が禁止されることにより、第２の把持部材６８の第１の把持部材４２に近づく方向への移動が禁止される。
【００４８】
以上に説明したように第２の実施形態によれば、ラチェット機構５１を有するタグ取付具４２を用いて、第１の爪部９を一方の吸水孔２０の縁部２０ａに係止させると共に第２の爪部１０を他方の吸水孔２１の縁部２０ａに係止させてタグ取付具４１をアワビに取付けるようにしたので、作業者は、ラチェット機構５１における第２の把持部材４３の移動が禁止されることにより、タグ取付具４１をアワビに確実に取付けることができ、タグ取付具４１がアワビから外れてしまうことを回避することができる。
【００４９】
（その他の実施形態）
本発明は、上記した実施形態にのみ限定されるものではなく、以下のように変形または拡張することができる。
【００５０】
タグが取付けられる商品（タグ取付対象物）は、アワビに限らず、他のものであっても良い。また、自然的に形成された孔を利用してタグを取付けることに限らず、人為的に孔を形成し、その人為的に形成された孔を利用してタグを取付ける方法に適用しても良い。
第１の実施形態と第２の実施形態とを組合わせた構成であっても良い。具体的には、図１０および図１１を参照して説明すると、タグ取付具７１は、第１の実施形態で説明したバネ機構１１に相当するバネ機構７２を備えると共に、第２の実施形態で説明したラチェット機構５２に相当するラチェット機構７３を備える構成であっても良い。その場合、ラチェット機構７３においては、図１１に示すように、指掛部７４を設けることにより、作業者が指掛部７４に指を掛けて係合爪部７５を上方に持上げることにより（図１１中矢印「Ｆ１」参照）、係合段部７６と係合爪部７５との係合が解除されて、第２の把持部材７７の第１の把持部材７８から遠ざかる方向への移動が許可される構成であっても良い。また、指掛部７４を引掛けるための専用の治具８１を用いて係合爪部７５を上方に持上げる構成であっても良い。
【００５１】
タグがタグ取付具に取付けられる位置は、タグがタグ取付具に取付けられた状態でバランスを失わない程度の位置であれば良い。
タグとタグ取付具とが一体に構成されているものを商品に取付ける場合に適用しても良い。
【図面の簡単な説明】
【００５２】
【図１】本発明の第１の実施形態の手順を概略的に示す図
【図２】タグ取付具の外観斜視図
【図３】タグの外観斜視図
【図４】タグがアワビに取付けられた態様を概略的に示す図
【図５】図２相当図
【図６】本発明の第２の実施形態の手順を概略的に示す図
【図７】図２相当図
【図８】図２相当図
【図９】ラチェット機構を示す断面図
【図１０】その他の実施形態のタグ取付具の外観斜視図
【図１１】図９相当図
【符号の説明】
【００５３】
図面中、１はタグ取付具、４は第１の係止部材、５は第２の係止部材、１１はバネ機構（弾性機構）、１２はタグ、１４はスリ割り付き突起部（突起部）、１５は嵌合部、１９はアワビの殻（本体）、２０は吸水孔（孔）、２０ａは縁部、２１は吸水孔（孔）、２１ａは縁部、３１はタグ取付具、３３は第２の係止部材、３５は第１の係止部材、３６はバネ機構（弾性機構）、４１はタグ取付具、４４は第１の係止部材、４５は第２の係止部材、５２はラチェット機構（戻り止め機構）、５３は嵌合部、５４はタグ、５６はスリ割り付き突起部（突起部）、６１はタグ取付具、６３は第２の係止部材、６５は第１の係止部材、７１はタグ取付具、７３はラチェット機構（戻り止め機構）である。
【図１】
2005157470.tif 000003
【図２】
2005157470.tif 000004
【図３】
2005157470.tif 000005
【図４】
2005157470.tif 000006
【図５】
2005157470.tif 000007
【図６】
2005157470.tif 000008
【図７】
2005157470.tif 000009
【図８】
2005157470.tif 000010
【図９】
2005157470.tif 000011
【図１０】
2005157470.tif 000012
【図１１】
2005157470.tif 000013